(57)【特許請求の範囲】
【請求項１】
単片用紙を搬入する状態と搬入しない状態とに切り換えるための切り換え部材を有する搬入部と、この搬入部から送り込まれた単片用紙を堆積するスタック部とを備え、このスタック部には、搬入した単片用紙の先端を衝突後に上昇させるように傾斜させ、かつ単片用紙先端が衝突する部位より高い位置にストッパを設けた斜行板と、この斜行板との間に間隙を設けて前記ストッパ近傍に配置した単片用紙先端を押さえるローラとからなる単片用紙のスタッカ装置。
【発明の詳細な説明】
【０００１】
【発明の属する技術分野】
本発明は、搬送路途中あるいは搬送路終端に配設し、搬送される単片用紙を搬入させスタックするための単片用紙のスタッカ装置に関する。
【０００２】
【従来の技術】
従来から種々のスタッカ装置が知られているが、これら従来のスタッカ装置は一般に大型で構成が複雑であった。
【０００３】
【発明が解決しようとする課題】
本発明は、小型で簡単な構造を有し、搬送路途中から排出した単片用紙をスタックするリジェクト用のスタッカ装置として特に好適な単片用紙のスタッカ装置を提供することを目的とする。
【０００４】
【課題を解決するための手段】
請求項１に記載された発明は、前記目的を達成するために、前記目的を達成するために、単片用紙を搬入する状態と搬入しない状態とに切り換えるための切り換え部材を有する搬入部と、この搬入部から送り込まれた単片用紙を堆積するスタック部とを備え、このスタック部には、搬入した単片用紙の先端を衝突後に上昇させるように傾斜させ、かつ単片用紙先端が衝突する部位より高い位置にストッパを設けた斜行板と、この斜行板との間に間隙を設けて前記ストッパ近傍に配置した単片用紙先端を押さえるローラとからなるものである。
【０００５】
【発明の実施の形態】
以下に、同一郵便番号の葉書を所定枚数毎に区分けする葉書束の作成装置におけるリジェクト用スタッカ装置に適用した本発明の好適な実施の形態を添付図面に基づいて詳細に説明する。ここにおいて、添付図面の図１は葉書束の作成装置の概略的な構成及び制御系統を示す正面図、図２は葉書がスタック部に進入しはじめた状態と斜行板に衝突した状態と落下していく状態をそれぞれ示す部分縦断面図、図３は葉書先端が斜行板に衝突した後の状態を示す部分縦断面図、図４は葉書先端がスタック部に達した後の状態を示す部分縦断面図、図５は葉書上面がローラに当たった後の状態を示す部分縦断面図である。
【０００６】
先ず、本発明にかかるリジェクト用スタッカ装置１を適用する作成装置２について説明する。図１に示すように、作成装置２は、葉書ａの郵送において、同一の郵便番号が記載された所定枚数以上の葉書を束ね、割引札を添付して郵便局に提出すると郵送料が割引されるという割引制度を利用すべく、同一郵便番号の葉書ａを所定枚数毎に区分けするためのものである。この作成装置２は、葉書ａを一枚ずつ搬送路４に供給する用紙供給部３と、この用紙供給部３から搬送されてきた葉書ａの郵便番号を読み取るとともに、葉書ａの枚数をカウントするコード読み取り器５と、搬送路４の途中に配置した本発明に係るリジェクト用スタッカ装置１と、前記コード読み取り器５で読み取った郵便番号が区分け予定したものであったとき、その葉書ａを搬送し堆積する区分けスタッカ装置６ａ，６ｂと、前記堆積した葉書ａに、図示しない前記割引札を載置する表示札載置装置７ａ，７ｂと、堆積した葉書ａの幅方向に帯８を掛けて束ねる第１帯掛装置９ａ，９ｂと、堆積した葉書ａの長手方向に帯１０を掛けて束ねる第２帯掛装置１１と、搬送路４終端に配置され、前記リジェクト用スタッカ装置１あるいは区分けスタッカ装置６ａ、６ｂに搬入されなかった葉書ａ、すなわち前記搬入予定されなかった郵便番号が付された葉書ａをスタックする雑スタッカ装置１２とを備える。
【０００７】
また、前記作成装置２は、前記リジェクト用スタッカ装置１、区分けスタッカ装置６ａ，６ｂの各搬入部端に設け、搬送路４を移動する葉書ａを搬入する状態と搬入しない状態に切り換えるための切換ガイド１３，１４，１５と、この切換ガイド１３，１４，１５を作動させるための作動部１３ａ，１４ａ，１５ａと、この作動部１３ａ，１４ａ，１５ａ，コード読み取り器５に接続し、前記各装置を制御する制御部１６とを備える。制御部１６は、操作部１７及び表示部１８を備える。ここで、用紙供給部３から供給される葉書ａの所定区分枚数毎には、コード読み取り器５が正常に作動しているか否かを確認するために、ダミーマークを付した葉書ａが挿入されており、前記コード読み取り器５はダミーマークを読み取ったときに、その葉書ａをリジェクト用スタッカ装置１に搬入するよう、前記制御部１６の制御で作動部１３ａに指示が出力され、切換ガイド部材１３が変位する。また、葉書ａの中には、郵送せずに手渡しすべきものが含まれている場合があるが、このような場合は、制御部１６によって、コード読み取り器５が葉書ａに付したピックアップマークを読み取ったときにリジェクト用スタッカ装置１にその葉書ａを搬入するよう制御されている。
【０００８】
本発明に係るリジェクト用スタッカ装置１は、図１に示したように、前記搬送路４途中の切れ目に対応して配置するもので、葉書ａを必要に応じて搬入路４から搬入するための搬入部１９、搬入した葉書ａを収容するボックス形状のスタック部２０とから構成する。そして、このリジェクト用スタッカ装置１は、前記ダミーマークあるいはピックアップマークが付され、前記コード読み取り器５で検知された葉書ａ、あるいはこのリジェクト用スタッカ装置１より前方の搬送路４でのジャム発生を検知した後に搬送されてきた葉書ａをリジェクトしてスタックするためのものである。
【０００９】
図１及び図２に明示したように、前記搬入部１９は、前記搬送路４の切れ目と前記スタック部２０を連繋する斜めに上昇する搬入ベルト２１と、該搬入ベルト２１の搬入路４側に設けた前記切換ガイド１３と、搬入ベルト２１上端側に設け、スタック部２０内に葉書ａを斜めに上昇するような態勢で送り込むためのガイド片２２とを備えている。該ガイド片２２は、回転軸２２ａを中心に揺動変位しうるもので、スタック部２０内への葉書ａの進入角度を変更させることが可能である。また、前記切換ガイド１３は、前記コード読み取り器５でダミーマーク、ピックアップマークを検出した葉書ａあるいはジャム発生検知後の葉書ａをそれぞれ搬送路４からスタック部２０に搬入すべく搬送路４内に位置する状態と、葉書ａを区分けスタッカ装置６ａ，６ｂに向けて搬送すべく搬送路４から外れた状態との２状態に切り換えるよう変位自在に構成されている。
【００１０】
図２に明示したように、前記スタック部２０は、前側部２３、後側部２４、両側部２５，２５（一方のみ図示）と傾斜した底部２６を有し、上部を開放したボックス状に形成してある。両側部２５，２５は、前側部２３あるいは後側部２４より高く形成してある。この前側部２３の上縁には、前記搬入部１９の搬入ベルト２１の先端を位置させ、ここから葉書ａがスタック部２０内に飛び込むように構成する。
【００１１】
前記スタック部２０の後側部２４の内側には、飛び込んだ後に衝突した葉書ａの先端を上昇させるように傾斜させ、かつ上端をガイド片２２側に折曲することによって、葉書ａの上昇を阻止するストッパ２７を形成した斜行板２８と、前記斜行板２８との間に所定の間隙を形成するよう前記ストッパ２７近傍に配置した押え部材たるローラ２９とを設ける。このローラ２９は、前記両側部２５，２５に両端を固定してある。
【００１２】
続いて、前述のリジェクト用スタッカ装置１の動作について説明する。図１及び図２に示すように、先ず、コード読み取り器５でダミーマークあるいはピックアップマークが検出されたり、ジャム発生が検知されると、切換ガイド１３が搬送路４内に位置する状態になり、用紙供給部３から搬送されてきた葉書ａが順次搬入され、搬入ベルト２１によってスタック部２０に向かう。図２及び図３に示すように、搬入ベルト２１上端から飛び出した葉書ａは、ガイド片２２にガイドされてスタック部２０内を斜め上方に向かって飛び（矢印Ａ参照）、斜行板２８にその先端が衝突する。続いて、図２及び図３に示すように、斜行板２８に衝突した葉書ａは、しり下がり（矢印Ｃ参照）になりつつ、その先端が傾斜した斜行板２８に沿って上方に滑り（矢印Ｂ参照）、図４に示すように、斜行板２８上端と折曲部の交点部位、すなわちストッパ２７に達すると、葉書ａの下端側がその勢いでしり下がりになるように回転し（矢印Ｄ参照）、葉書ａの上面が押え部材たるローラ２９の外面に当たる。葉書ａがローラ２９に当たると、図５に示すように、ストッパ２７を支点としローラ２９面から前記回転とは逆のしり下がりとなるような回転力を受ける（矢印Ｅ参照）とともに、重力によってしり下がりの態勢で落下する（矢印Ｆ参照）。このように、スタック部２０に飛び込んだ複数の葉書ａは順次しり下がりの状態で落下して、底部２６に堆積しスタックされる。
【００１３】
また、コード読み取り器５が、区分け予定した郵便番号を読み取ったときは、その葉書ａはリジェクト用スタッカ装置１に搬入されず、搬送路４を搬送され、切換ガイド１４から区分けスタッカ装置６ａに搬入され、所定枚数の堆積した葉書ａとなり、表示札添付装置７ａで割引札を添付した後、第１帯掛装置８ａで堆積した葉書ａの幅方向に帯８を掛ける。ここで、堆積した葉書ａの枚数は、コード読み取り器５で検出されるが、ダミー葉書ａは計数されないとともに、ピックアップされた葉書ａは計数される。前記区分けスタッカ装置６ａで予定枚数が堆積したところで、搬送路４を搬送されてきた葉書ａは、スタッカ装置６ａの搬入路への搬入が阻止されて区分けスタッカ装置６ｂに搬入し、表示札添付装置７ｂ、第１帯掛装置９ｂと移送される間に前記と同様の作業が順次行われる。そして、第１帯掛装置９ａ，９ｂから第２帯掛装置１１にて、それぞれ長手方向に帯１０を掛け葉書束ｂとして、郵便局に提出可能状態となる。なお、リジェクト用スタッカ装置１にピックアップ葉書ａがスタックされた場合は、堆積した葉書ａの枚数が所定数に満たないので、第２帯掛部１１での帯掛けを行わないよう制御部１６で制御する。この場合は、足りない枚数の葉書ａを、堆積した葉書ａに差し込んで該第２帯掛部１１を作動させる。一方、付された郵便番号が区分け予定するものでなかった葉書ａは、搬送路４終端の雑スタッカ装置１２に搬入されスタックされる。
【００１４】
なお、本発明は、前記実施の形態になんら限定されるものではなく、例えば、単片用紙は葉書ａに代えて各種カード等にしてもよいほか、前述のようなリジェクト用ではなく、搬送路４終端に配設して区分けスタック用あるいは雑スタック用等としてもよい。また、ストッパ２７は、斜行板２８上端を折曲形成したものではなく、別途突起等で構成してもよい。
【００１５】
【発明の効果】
以上のように、請求項１あるいは請求項２に記載された本発明は、簡単な構成なので製造費を低減しうるだけでなく、大きな設置スペースを必要としないからリジェクト用に好適であるとともに、スタック部に搬入した単片用紙は、その先端が斜行板に沿って上方に滑りながら移動しストッパに達すると、単片用紙の下端側がその勢いで上方に起き上がるように回転した後、ローラに当たってストッパを支点としローラ面から前記回転とは逆のしり下がりとなるような回転力を受けるから、しり下がりの安定した態勢で落下し、スタック部内で跳ね上がったり、ばたついたりせずに、適正なしり下がり状態で整然とスタックされるという効果を奏する。
【図面の簡単な説明】
【図１】  葉書束の作成装置の概略的な構成及び制御系統を示す正面図。
【図２】  葉書がスタック部に進入しはじめた状態と斜行板に衝突した状態と落下していく状態をそれぞれ示す部分縦断面図。
【図３】  葉書先端が斜行板に衝突した後の状態を示す部分縦断面図。
【図４】  葉書先端がスタック部に達した後の状態を示す部分縦断面図。
【図５】  葉書上面がローラに当たった後の状態を示す部分縦断面図。
【符号の説明】
ａ  葉書
Ａ，Ｂ，Ｃ，Ｄ，Ｅ，Ｆ  矢印
１  リジェクト用スタッカ装置
２  作成装置
４  搬送路
５  コード読み取り器
１３  切換ガイド
１６  制御部
１９  搬入部
２０  スタック部
２７  ストッパ
２８  斜行板
２９  ローラ
【図１】
0003652469.tif 000002
【図２】
0003652469.tif 000003
【図３】
0003652469.tif 000004
【図４】
0003652469.tif 000005
【図５】
0003652469.tif 000006